(57)【特許請求の範囲】
【請求項１】
気密性を有し、開口部周縁にフランジを有する底面が矩形状の函体を有し、前記函体は幅方向および長さ方向に横断して長さ方向および幅方向に伸張可能な伸張部を有することを特徴とする伸張可能なパネル材。
【請求項２】
気密性を有し、開口部周縁にフランジを有する底面が矩形状で４つの側面を有する函体を有し、前記函体は幅方向および長さ方向に横断して長さ方向および幅方向に伸張可能な伸張部を有することを特徴とする伸張可能なパネル材。
【請求項３】
前記函体は周囲側面に深さ方向に伸張可能な伸張部を有することを特徴とする請求項１または２記載の伸張可能なパネル材。
【請求項４】
蓋材を有し、前記蓋材は長さ方向および幅方向に伸張可能な伸張部を有することを特徴とする請求項１，２または３記載の伸張可能なパネル材。
【請求項５】
前記伸張部は、可塑性樹脂シートまたは伸縮可能な折り重ね部から成ることを特徴とする請求項１，２，３または４記載の伸張可能なパネル材。
【請求項６】
前記函体の内部に圧縮可能な断熱材を有することを特徴とする請求項１，２，３，４または５記載の伸張可能なパネル材。
【発明の詳細な説明】
【０００１】
【発明の属する技術分野】
本発明は、木造建築物の床面パネル、天井面パネルおよび壁面パネルとして用いられる伸張可能なパネル材に関する。
【０００２】
【従来の技術】
従来のパネル材としては、特公平７−５４０１５号公報に示すものがある。すなわち、合板の室内面に密閉用フィルムを介してパネル下地枠を添着し、合板の室外面に断熱板を添着してパネル材が構成され、このパネル材のパネル下地枠を壁面用フレームの開口部に嵌合して木造建築物を施工するようになっている。
【０００３】
【発明が解決しようとする課題】
しかしながら、従来の技術では、壁面用フレームの開口部の大きさがまちまちの場合、それぞれの大きさに合わせたパネル材を複数種類、準備しなければならず、パネル材の部品管理、在庫管理および現場のセッティングが煩瑣でそれに伴うコストが嵩むという問題点があった。
【０００４】
本発明は、このような従来の問題点に着目してなされたもので、施工箇所に合わせて大きさを変えることができ、部品管理、在庫管理および現場のセッティングを容易にすることができる伸張可能なパネル材を提供することを目的としている。
【０００５】
【課題を解決するための手段】
上記目的を達成するために、請求項１の本発明に係るパネル材は、気密性を有し、開口部周縁にフランジを有する底面が矩形状の函体を有し、前記函体は幅方向および長さ方向に横断して長さ方向および幅方向に伸張可能な伸張部を有することを特徴とする。
【０００６】
函体は、アルミ箔と合成樹脂とを張り合わせたもの、合成樹脂単体、ゴム、その他、気密性を有する材質であれば、いかなる材質から成ってもよい。函体の内部には、補強材を設けてもよい。フランジの枠組み固定面および函体側面には、両面粘着テープを張り付けてあってもよい。函体の底面は、長方形状であっても、正方形状であってもよい。伸張部は、函体の一部のみに設けられていても、全体に設けられていてもよい。
【０００７】
請求項１の本発明に係るパネル材を用いて木造建築物を施工する場合、木造建築物の格子状に組まれた梁の枠組みまたは２本の柱と根太と梁とで構成される枠組みに函体を嵌め込む。函体は、伸張部を伸ばすことにより長さ方向または幅方向に伸び、枠組みの大きさに合う。函体を、周縁のフランジで枠組みに固定する。フランジを枠組みに気密性の粘着テープ等で張り付けることにより気密性は確実に保たれる。函体の内部には、断熱材等を収容することができる。
【０００８】
請求項２の本発明に係るパネル材は、気密性を有し、開口部周縁にフランジを有する底面が矩形状で４つの側面を有する函体を有し、前記函体は幅方向および長さ方向に横断して長さ方向および幅方向に伸張可能な伸張部を有することを特徴とする。
【０００９】
請求項２の本発明に係るパネル材は、長さ方向および幅方向の両方に伸張可能なので、枠組みの大きさに合わせやすい。
【００１０】
請求項３の本発明に係るパネル材は、請求項１または２のパネル材において、前記函体は周囲側面に深さ方向に伸張可能な伸張部を有することを特徴とする。
【００１１】
請求項３の本発明に係るパネル材は、周囲側面の伸張部を伸ばすことにより枠組みの厚さや断熱材の厚さに応じて函体の深さを変えることができる。
【００１２】
請求項４の本発明に係るパネル材は、請求項２または３のパネル材において、蓋材を有し、前記蓋材は長さ方向および幅方向に伸張可能な伸張部を有することを特徴とする。
【００１３】
請求項４の本発明に係るパネル材は、函体の大きさに応じて蓋材を伸ばし、蓋材を函体の大きさに合わせて、函体を密閉することができる。函体を密閉することにより断熱効果を高めることができる。
【００１４】
請求項５の本発明に係るパネル材は、請求項１，２，３または４のパネル材において、前記伸張部は、可塑性樹脂シートまたは伸縮可能な折り重ね部から成ることを特徴とする。
【００１５】
函体は、全体を可塑性樹脂シートから構成してもよいが、函体の形状を歪みにくくするため、一部のみに可塑性樹脂シートを設けることが好ましい。函体は、全体に折り重ね部が設けられていても、一部のみに折り重ね部が設けられていてもよい。
【００１６】
請求項６の本発明に係るパネル材は、請求項１，２，３，４または５のパネル材において、前記函体の内部に圧縮可能な断熱材を有することを特徴とする。
【００１７】
請求項６の本発明に係るパネル材は、函体の大きさに合わせて断熱材を圧縮させ、枠組みの大きさに合わせることができる。
【００１８】
【発明の実施の形態】
以下、図面に基づき本発明の実施の第１形態および第２形態について説明する。
図１〜図５は、本発明の実施の第１形態を示している。
図１に示すように、パネル材１０は、函体１１と、蓋材１２と、断熱材１３とから成っている。図２に示すように、函体１１は、底面２１および開口部２２が矩形状であって開口部周縁にフランジ１４を有している。函体１１は、厚さ３ミリ程度の薄くて引張強度の強い材質から成る。函体１１は、片面がアルミ箔で覆われ、反対面が防湿性合成樹脂で覆われており、気密性および防湿性を有している。函体１１は、寒い地域では、アルミ箔側の面が室内側を向くように用いることで、室内を暖かく保つことができ、暑い地域では、アルミ箔側の面が室外側を向くように用いることで、室内を涼しく保つことができる。
【００１９】
函体１１は、４つの側面２３，２３，…に沿って幅方向および長さ方向に横断する４本の伸張部１５，１５，…を有している。各伸張部１５は、底面２１、側面２３およびフランジ１４に形成されている。図３および図４に示すように、伸張部１５は、伸縮可能な折り重ね部から成っている。折り重ね部は、山線２４と２本の谷線２５，２６とを一定の幅で交互に繰り返して、山線２４と谷線２６との間の面２７を２つの谷線２５，２６の間の面と折り重ねて成っている。幅方向および長さ方向の伸張部１５は、折り重ね部の折り重ねられた面２７を伸ばすことにより長さ方向および幅方向に伸張可能である。函体１１は、図１に示すように、周囲の側面２３，２３，…にも伸張部１５を有している。側面２３の伸張部１５は、幅方向および長さ方向の伸張部１５と同様に折り重ね部から成り、深さ方向に伸張可能である。
【００２０】
図１および図５に示すように、蓋材１２は、フランジ１４の外周と同じ大きさの矩形状の薄板から成る。蓋材１２は、４つの辺１２ａ，１２ａ，…に沿って幅方向および長さ方向に横断する４本の伸張部１５を有している。伸張部１５は、幅方向および長さ方向の伸張部１５と同様に折り重ね部から成り、長さ方向および幅方向に伸張可能である。断熱材１３は、繊維状であって、圧縮可能である。断熱材１３は、函体１１の内部に収容される。
【００２１】
次に作用を説明する。
パネル材１０を用いて施工される木造建築物は、土台と根太と柱と梁とで構成される軸組を有する木造建築物である。なお、本明細書中で、「梁」の概念には、桁を含む。また、「柱」の概念には、支柱、間柱、束を含む。パネル材１０の施工の際には、図１（Ｂ）に示すように、まず、格子状に組まれた梁の枠組みＡに上方からパネル材１０の函体１１を嵌め込む。函体１１は、側面２３を手で引っ張って、幅方向および長さ方向に横断する伸張部１５の折り重ねられた面２７を伸ばすことにより、長さ方向および幅方向に伸び、枠組みＡの大きさに合う。函体１１の側面２３，２３，…は、枠組みＡの内面に密着させる。パネル材１０は、長さ方向および幅方向の両方に伸張可能なので、枠組みＡの大きさに合わせやすい。パネル材１０は、縮めた状態で搬送できるため、搬送の際に嵩張らず、搬送量を増やすことができる。
【００２２】
周縁のフランジ１４を気密性の両面粘着テープ（図示せず）で枠組みＡに張り付ける。両面粘着テープは、フランジ１４および枠組みＡに接着し、気密性が確実に保たれる。次に、フランジ１４を枠組みＡの上面に釘で固定する。さらに、釘の上に、気密性粘着テープ（図示せず）を張り付ける。気密性粘着テープは、フランジ１４の外周を覆って枠組みＡに張り付けられていてもよい。
【００２３】
函体１１の内部に断熱材１３を収容する際には、底面２１を手で押して、周囲側面２３，２３，…の伸張部１５の折り重ねられた面２７を伸ばすことにより、枠組みＡの厚さや断熱材１３の厚さに応じて函体１１の深さを変える。そして、函体１１の内部に断熱材１３を収容する。断熱材１３は、必要に応じて函体１１の大きさに合わせて圧縮させ、枠組みＡの大きさに合わせることができる。
【００２４】
次に、函体１１の大きさに応じて蓋材１２を伸ばす。蓋材１２は、幅方向および長さ方向に横断する伸張部１５を伸ばすことにより、長さ方向および幅方向に伸張可能である。こうして、蓋材１２を函体１１の大きさに合わせる。蓋材１２を、気密性の両面粘着テープでフランジ１４に接着し、函体１１を密閉する。函体１１を密閉することにより断熱効果を高めることができる。２本の柱と根太と梁とで構成される壁側の枠組みにも、梁の枠組みＡと同様に、パネル材１０を取り付けることができる。このように、パネル材１０を枠組みＡに嵌め込んで固定することにより、簡単かつ短時間で、気密性を高めた床および壁を作ることができる。こうしてできた床および壁に内装および外装を行う。
【００２５】
また、函体１１の内部には、函の構造を強化するため、内枠や筋交いなどの補強材を設けてもよい。断熱材１３は、函体１１の内部に単に詰め込んだだけでもよいが、両面粘着テープや接着剤などで函体１１に接着してもよい。なお、伸張部１５は、伸縮可能なので、伸張後、必要に応じて縮めてもよい。
【００２６】
次に、本発明の実施の第２形態について説明する。
図６は、本発明の実施の第２形態を示している。
図６に分解して示すように、パネル材３０は、函体３１から成っている。函体３１は、底面３２および開口部３３が矩形状であって開口部周縁にフランジ３４を有している。函体３１は、気密性および防湿性を有する薄いシートから成る。函体３１は、２つのコーナー部３５，３５と、１つの中間部３６に分かれている。各コーナー部３５は、２つの隣合うコーナー３７，３７を有している。２つのコーナー部３５，３５は、中間部３６を挟んで函体を構成するよう中間部３６に接着されている。
【００２７】
中間部３６は、函体３１の幅方向に横断する伸張部３８を中央に有している。伸張部１５は、可塑性樹脂シートから成り、両側のシート３９，３９に接着されている。パネル材１０は、伸張部３８により、長さ方向に伸張可能である。パネル材３０は、２つのコーナー部３５，３５と、１つの中間部３６に分けて製造され、伸張部１５が可塑性樹脂シートで構成されるため、実施の第１形態のパネル材１０に比べて製造が容易である。
【００２８】
【発明の効果】
本発明に係るパネル材によれば、気密性を有し、長さ方向または幅方向に伸張可能な伸張部を有するので、施工箇所に合わせて大きさを変えて気密性を保つことができ、部品管理、在庫管理および現場のセッティングを容易にすることができる。また、本発明に係るパネル材によれば、縮めた状態で搬送できるため、搬送の際に嵩張らず、搬送量を増やすことができる。
【図面の簡単な説明】
【図１】本発明の実施の第１形態のパネル材の（Ａ）函体と蓋材とを分離した状態を示す説明断面図、（Ｂ）函体に蓋材を被せた状態を示す説明断面図である。
【図２】図１のパネル材の函体を示す平面図である。
【図３】図１のパネル材の函体の伸張部を示す断面斜視図である。
【図４】図１のパネル材の函体の伸張部を示す断面図である。
【図５】図１のパネル材の蓋材を示す平面図である。
【図６】本発明の実施の第２形態のパネル材の函体を示す分解平面図である。
【符号の説明】
１０  パネル材
１１  函体
１２  蓋材
１３  断熱材
１４  フランジ
１５  伸張部
【図１】
0003812762.tif 000002
【図２】
0003812762.tif 000003
【図３】
0003812762.tif 000004
【図４】
0003812762.tif 000005
【図５】
0003812762.tif 000006
【図６】
0003812762.tif 000007